(57)【特許請求の範囲】
【請求項１】
プラテンの主走査方向に線状光を照射する線状光照射手段と、
前記プラテン上の原稿画像からの反射光を読取光路方向に偏向する偏向手段と、
前記原稿画像以外の反射光が前記偏向手段に入射するのを防止するため前記線状光照射手段と前記プラテンとの間に配置された上面遮光部と、この上面遮光部を支持する側壁状の側面支持部とを有する反射光規制手段と、
前記反射光規制手段に冷却風を送風する送風手段と、
を備え、
前記反射光規制手段は、前記上面遮光部と側面支持部とを耐熱性樹脂で一体成形したカバー部材で構成され、
前記側面支持部には主走査方向の一端側から他端側に向かって開口面積が大きくなる複数の放熱開口が形成され、
前記送風手段は、
前記側面支持部に沿って主走査方向の一端側から他端側へ向かう冷却風を形成するように装置ケーシングに配置されると共に、
この冷却風は、前記側面支持部の内壁面と前記線状光照射手段に沿って流れる流路と、
前記側面支持部の外壁面に沿って流れる流路で形成されることを特徴とする画像読取ユニット。
【請求項２】
前記側面支持部に形成された放熱開口には、その開口端縁に外部から冷却風を導入するフィンが設けられ、
このフィンは主走査方向の一端側から他端側へ向かう複数の放熱開口に前記冷却風を導入するように形成されていることを特徴とする請求項１に記載の画像読取ユニット。
【請求項３】
前記フィンは、主走査方向の一端側から他端側へ向かう複数の放熱開口に導入する風量を調節するように形成されていることを特徴とする請求項２に記載の画像読取ユニット。
【請求項４】
前記フィンから前記カバー部材の内側に導入される冷却風は、前記線状光照射手段の長手方向に沿って送風ファンの送風方向に流れることを特徴とする請求項２および請求項３に記載の画像読取ユニット。
【請求項５】
前記偏向手段からの光を集光する集光手段と、
前記集光手段で集光された光を光電変換する光電変換手段と、
前記プラテンに沿って移動自在に配置されたキャリッジ手段と、
を備え、
前記キャリッジ手段には、前記線状光照射手段と、前記反射光規制手段と、前記偏向手段と、前記集光手段と、前記光電変換手段とが一体的に支持されていることを特徴とする請求項１に記載の画像読取ユニット。
【請求項６】
原稿を支持するプラテンと、
前記プラテンの主走査方向に線条光を照射する線条光照射手段と、
前記プラテン上の原稿画像からの反射光を読取光路方向に偏向する偏向手段と、
前記線状光照射手段と前記プラテンとの間に配置された上面遮光部と、この上面遮光部を支持する側壁状の側面支持部とを有する反射光規制手段と、
前記反射光規制手段に冷却風を送風する送風手段と、
を備え、
前記反射光規制手段は、前記上面遮光部と側面支持部とを耐熱性樹脂で一体成形したカバー部材で構成され、
前記側面支持部には主走査方向の一端側から他端側に向かって開口面積が大きくなる複数の放熱開口が形成され、
前記送風手段は、
前記側面支持部に沿って主走査方向の一端側から他端側へ向かう冷却風を形成するように装置ケーシングに配置されると共に、
この冷却風は、前記側面支持部の内壁面と前記線状光照射手段に沿って流れる流路と、
前記側面支持部の外壁面に沿って流れる流路で形成されることを特徴とする画像読取装置。
【請求項７】
前記カバー部材に向けて一端側から他端側に向かう冷却風を送る送風手段が設けられ、
この送風手段は、前記側面支持部の内側と外側にそれぞれ前記線状光照射手段に沿って流れる冷却風を形成するように構成され、
前記冷却風の下流側に位置する前記放熱開口には前記側面支持部の外側に流れる冷却風を内側に導入するフィンが設けられていることを特徴とする請求項６に記載の画像読取装置。
【発明の詳細な説明】
【技術分野】
【０００１】
本発明は、所定のプラテン上に静止セットされた画像原稿、或いは所定速度で走行する画像原稿を光学的に読み取る複写機、スキャナ、ファクシミリなどの画像読取ユニットに係わり、プラテン上の画像原稿に線状光を照射する光源ユニットの改良に関する。
【背景技術】
【０００２】
一般にこの種の画像読取装置は、プラテン上に準備された原稿画像に光を照射し、その反射光を集光レンズで光電変換素子（撮像素子）上に結像して読み取る装置として広く用いられている。従来このような装置ではプラテン上に静止セットした原稿画像、若しくはプラテン上を所定速度で走行する原稿画像に光源からの光を照射して、その反射光をミラー、プリズムなどの偏光手段で偏光して集光レンズに案内し、ＣＣＤなどの撮像素子で光電変換する読取機構が知られている。
【０００３】
従来、このような原稿画像を線順位で読み取る装置ではプラテンに主走査方向の線状光を照射し、原稿画像からの反射光を撮像素子に案内する光学系を構成している。例えば特許文献１（特開２００５−１２８３２号公報）には、静止原稿をセットする原稿セットプラテン（第１プラテン）と、走行原稿を案内する走行プラテン（第２プラテン）を並設し、この２つのプラテンに沿って移動するキャリジに光源ランプと反射ミラーと撮像素子を搭載した読取ユニットが開示されている。そして前者の第１プラテンに載置された原稿画像は、これに沿って移動するキャリッジの光源ランプから光を照射し、その反射光を撮像素子で読み取る（スキャン露光）ように構成されている。また、後者の第２プラテンを所定速度で移動する原稿は、その直下に静止したキャリッジの光源ランプから光を照射し、その反射光を撮像素子で読み取る（スリット露光）機構が開示されている。
【０００４】
従来このようにプラテンの近傍に光源ランプとミラーなどの偏光手段を配置し、原稿画像に線状光を照射して、その反射光を撮像素子上に結像する読取機構では、光源ランプが高熱になる問題がある。例えば特許文献２（特開平１０−１６４３２８号公報）には、光源ランプとして棒状光源（蛍光灯、キセノンランプなど）を用いた場合にこの主走査方向に長い線形状の光源ランプの温度を均一にコントロールするため、冷却風を送る冷却構造が開示されている。同文献には冷却ファンからランプ表面に冷却風を送るカイドを設け、このガイドから送風方向先端部の風量を大きくなるように構成した「送風ガイド」構造が提案されている。
【特許文献１】特開２００５−１２８３２号公報（図６、図４）
【特許文献２】特開平１０−１６４３２８号公報（図１）
【発明の開示】
【発明が解決しようとする課題】
【０００５】
上述のように、プラテン上の原稿画像に棒状光源から線状光を照射する際に次の問題が知られている。第１に光源ランプから原稿画像に向けて照射した光が原稿以外に投射され、その反射光（以下「外乱光」という）がミラーなどの偏光手段に入射すると画像ボケを招く問題がある。例えば光源ランプからの光がプラテンのガラス表面で反射して反射ミラーに原稿画像の反射光と同時に入射するとフレア画像として画像ボケ（ゴースト現象）が生ずる。このため従来は光源ランプの周囲を覆って外乱光の侵入を防止するフード状のカバー部材を設けることが試みられている。
【０００６】
また、第２の問題として高速の画像読取りのために光源ランプの光量を大きくすると発熱の問題があり、このランプ表面の温度が主走査方向に変化すると光量斑を招き読み取った画像のコントラストが異なる画像斑を招く問題がある。
【０００７】
そこで前掲特許文献２には光源ランプに主走査方向に冷却風を送り、ランプ表面の温度をコントロールすることが提案されている。そして同文献には送風ファンから光源ランプに至る送風ガイドを設け、この冷却ファンから遠方に位置するランプ表面への送風量を大きくする構造が開示されている。
【０００８】
ところが、画像読取装置の高速化と小型化が要求される画像読取ユニットにおいて、上述のフレア光を防止するカバー部材と、ランプ表面を冷却する送風ガイドを個別に配置することは装置の小型化と同時に装置コストに影響を及ぼす。
【０００９】
そこで本発明者は、光源ランプを主走査方向に覆ってフレア光の影響を防止するカバー部材を配置する装置構成において、このカバー部材でランプ表面の温度を主走査方向に均一に冷却するように冷却風を制御するとの着想に至った。
【００１０】
本発明はプラテン上の原稿画像に線状光を照射するに際し、読取光学系にフレア現象を招く光が入射することがなく、同時に照射する線状光源の温度を主走査方向に略々均一に制御することの可能な画像読取ユニットの提供をその主な課題としている。
更に、本発明はフレア光及び光源の温度斑によって読取画像に斑が生ずることのない画像読取装置の提供をその課題としている。
【課題を解決するための手段】
【００１１】
上記課題を達成するため本発明は、プラテン上の原稿画像に線状光を照射する際に、読取光学系にフレア光の入射を防止するカバー部材を設け、このカバー部材に、「原稿画像以外からの反射光を規制する上面遮光部」と、この上面遮光部を支持する側面支持部に複数の放熱開口を形成するのと同時にこの側部支持部の内側（面）と外側（面）に沿って主走査方向に冷却風を送る。このとき複数の放熱開口の開口面積は送風方向に開口面積が大きくなるように形成することを特徴としている。以下その構成を詳述する。
【００１２】
プラテンの主走査方向に線状光を照射する線状光照射手段と、前記プラテン上の原稿画像からの反射光を読取光路方向に偏光する偏光手段と、前記原稿画像以外の反射光が前記偏光手段に入射するのを防止するための前記線状光照射手段と前記プラテンとの間に配置された上面遮光部と、この上面遮光部を支持する側壁状の側面支持部とを有する反射光規制手段と、前記反射光規制手段に冷却風を送風する送風手段とを備える。
前記反射光規制手段は、前記上面遮光部と側面支持部とを耐熱性樹脂で一体成形したカバー部材で構成し、前記側面支持部には主走査方向の一端側から他端側に向かって開口面積が大きくなる複数の放熱開口を形成する。
前記送風手段は、前記側面支持部に沿って主走査方向の一端側から他端側へ向かう冷却風を形成すると共に、この冷却風は、前記側面支持部の内壁面と前記線状光照射手段の間に流れる流路と、前記側面支持部の外壁面と前記複数の開口に沿って流れる流路を形成する。
【００１３】
前記側面支持部に形成された放熱開口には、その開口端縁に外部から冷却風を導入するフィンを設け、このフィンは主走査方向の一端側から他端側へ向かう複数の放熱開口に導入する風量を調節するように形成される。
【００１４】
前記カバー部材には主走査方向の一端側から他端側へ向かう冷却風を送る送風手段を備え、この送風手段は上記カバー部材の内側で前記線状光照射手段に沿って流れる冷却風と、このカバー部材の外側で前記側面支持部に沿って流れる冷却風を生起するように単一若しくは複数の送風ファンで構成する。
【００１５】
前記カバー部材には主走査方向の基端側から先端側に向かう冷却風を送る送風手段を備え、この基端側に位置する前記放熱開口には前記側面支持部の内側と外側にそれぞれ前記線状光照射手段に沿って流れる冷却風を形成する。上記先端側に位置する放熱開口には前記側面支持部の外側に沿って流れる冷却風を内側に導入するフィンを配置する。
【００１６】
前記線状光照射手段には光源ランプを用いる。
【００１７】
上述の構成を備えた画像読取ユニットであって、前記偏光手段からの光を集光する集光手段と、上記集光手段で集光された光を光電変換する光電変換手段と、前記プラテンに沿って移動自在に配置されたキャリッジ手段とを備え、上記キャリッジ手段には、前記線状光照射手段と、前記反射光規制手段と、前記偏光手段と、上記集光手段と、上記光電変換手段とが一体的に支持される。
【００１８】
原稿を支持するプラテンと、上記プラテンの主走査方向に線状光を照射する線状光照射手段と、上記プラテン上の原稿画像からの反射光を読取光路方向に偏光する偏光手段と、上記原稿画像以外の反射光が上記偏光手段に入射するのを防止する反射光規制手段とを備え、上記反射光規制手段は、上記線状光照射手段の一部を覆うカバー部材で構成し、このカバー部材は、（１）上記プラテンの主走査方向に沿って上記原稿画像以外からの反射光を規制する上面遮光部と、（２）この上面遮光部を支持する側面支持部と、（３）上記側面支持部に形成された複数の放熱開口とを有する。上記複数の放熱開口は主走査方向の一端側から他端側へ向かって開口面積が大きくなるように形成する。
【００１９】
前記カバー部材に一端側から他端側に向かう冷却風を形成する送風手段を設け、この送風手段は、前記側面支持部の内側と外側にそれぞれ前記線状光照射手段に沿って流れる冷却風を形成するように構成し、この場合冷却風の下流側に位置する放熱開口には側面支持部の外側に流れる冷却風を内側に導入するフィンを設ける。
【発明の効果】
【００２０】
本発明は、プラテン上の原稿画像に線状光を照射する際に、読取光学系にフレア光が入射するのを防止するカバー部材を設け、このカバー部材に原稿画像以外からの反射光を規制する上面遮光部と、この上面遮光部を支持する側面支持部に複数の放熱開口を形成すると共にその開口面積を主走査方向の一端から他端に向かって開口面積が大きくなるように配置したものであるから次の効果を奏する。
【００２１】
開口面積の小さい放熱開口側から大きい放熱開口の方向に線状光に沿って冷却風を送ることによって、冷却風と開口面積による冷却効果が逆に作用するため光源ランプなどの線状光照射手段を主走査方向に沿って略々均一な温度に制御することが出来る。つまり冷却風の冷却効果は上流側が大きく、逆に開口面積による放熱効果は下流側が大きいため線状光照射手段をほぼ均一な温度に管理することが出来る。
【００２２】
従って光源ランプなどの線状光照射手段の主走査方向に沿ってカバー部材を設けるのみでフレア光による画像ボケを防止することができ、これと同時に線状光照射手段の温度を主走査方向に沿って略々均一に保持することが可能となり、簡単な構造で安価に画像ボケの問題を解決することが出来る。
【００２３】
更に、本発明は主走査方向に複数形成する放熱開口の内側と外側に冷却風を送る送風手段と、この冷却風の下流側に位置する放熱開口に外部冷却風を内部に導入するフィンを設けることによって線状光照射手段の温度をより低温で均一に維持することが出来るなど顕著な効果を奏する。
【発明を実施するための最良の形態】
【００２４】
以下図示の好適な実施の態様に基づいて本発明を詳述する。図１は本発明に係わる画像読取装置の全体説明図である。図２はその画像読取ユニットの斜視説明図であり、図３は、要部断面の説明図である。図４Ａは線状光照射手段を覆うカバー部材の斜視説明図であり、図５はカバー部材の作用を示す説明図である。図６はカバー部材の図４と異なる形態を示す。
【００２５】
図１に示す画像読取装置はスキャナ部Ａと、原稿搬送部Ｂとから構成され、原稿搬送部Ｂはスキャナ部Ａの上部に設置されている。スキャナ部Ａは図１に示すように外装ケーシング（筐体）１の上面に原稿走行プラテン（以下「第１プラテン」という）２と原稿固定プラテン（以下「第２プラテン」という）３とが並設配置されている。上記原稿搬送部Ｂは第１プラテン２に原稿シートを給送するフィーダ機構４と、上記第２プラテン３上の原稿を覆うプラテンカバー５とから構成され、スキャナ部Ａの上面に開閉自在にヒンジ連結されている。以下各構成を詳述する。
【００２６】
［スキャナ部の構成］
スキャナ部Ａは外装ケーシング１に上述の第１プラテン２と第２プラテン３を備え、このケーシング内部には画像読取ユニットＣが内蔵されている。画像読取ユニットＣは上記第１、第２プラテン２、３に沿って移動自在のキャリッジ（キャリッジ手段）６と、このキャリッジ６に搭載された光源（線状光照射手段）９と、反射ミラー（偏光手段）１０と、集光レンズ（集光手段）７と、光電変換素子（光電変換手段）８とで構成されている。そして第１プラテン２の直下にキャリッジ６を静止した状態に置き、プラテン２上を所定速度で移動する原稿画像に光源９から光を照射し、その反射光を反射ミラー１０で集光レンズ７に案内し、この集光レンズ７で光電変換素子８上に結像するように構成されている。また、上記キャリッジ６を第２プラテン３のホームポジションに移動し、この位置から所定速度でスキャン移動させることによってプラテン３上にセットされた静止原稿を読み取るように構成されている。
【００２７】
上記キャリッジ６は例えば耐熱性の樹脂で画像読取エレメントを搭載するに適した形状に構成されている。図示の光電変換素子８はＣＣＤ（チャージカップルドディバイス）などのラインセンサで構成されている。このためキャリッジ６は最大原稿の幅サイズより若干幅広に構成され、光源９、反射ミラー１０を搭載可能な長さに形成されている。このように構成されたキャリッジ６は第１，第２プラテン２、３間を位置移動可能に支持され、同時に第２プラテン３に沿って移動走査可能に支持されている。このため前記外装ケーシング１には幅方向に平行な一対のガイドレール１２ｂが設けられ、このガイドレール１２ｂはロッド部材とレール部材で構成されている。そして図２に示すようにキャリッジ６にロッド部材に嵌合する軸受嵌合部６ａとレール部材に係合するスライド係合部６ｂが設けられている。
【００２８】
従ってキャリッジ６は、外装ケーシング１に固定されたガイドロッド１２ａに軸受嵌合部６ａが、ガイドレール１２ｂに係合するスライド係合部６ｂがそれぞれ支持され図１左右方向に移動可能に構成されている。そしてこのキャリッジ６は図示しないベルト、ワイヤなどの伝動手段でキャリッジ移動モータ（不図示）に連結されている。このようなキャリッジ移動の構成は広く知られているので詳細な説明を省く。
【００２９】
上記キャリッジ６には光源９が搭載されている。この光源９はプラテン上の原稿に対して主走査方向に線状光を照射するライン光源で構成され、線状光照射手段を構成している。光源（線状光照射手段；以下同様）９は蛍光灯、キセノンランプなどの棒状発光体或いは点状発光素子の光を線状光として照射する反射構造が知られている。図示の光源９は棒状のキセノンランプを示し、複数の発光素子（電極）を主走査方向に線状に配列して棒状光源を形成してある。この光源９は図２に示す両端部をソケットでキャリッジ６に固定されている。尚その断面を示す図３の９ａはその光照射部である。
【００３０】
上記反射ミラー１０はキャリッジ６に搭載され、上述の光源９から画像原稿に照射した光の反射光を第１反射ミラー１０ａに入射され、この反射光を複数の反射ミラーを介して最後の反射ミラー１０ｅから集光レンズ７に集光するように光路形成されている。図３にその光路を示し、第１反射ミラー１０ａ、第２反射ミラー１０ｂ、第３反射ミラー１０ｃ、第４反射ミラー１０ｄに順次反射し、第４反射ミラー１０ｄに入射した画像光は、第２反射ミラー１０ｂに反射し、再び第１反射ミラー１０ａに向けて反射される。第１反射ミラー１０ａに入射した画像光は、最後の反射ミラーである第５反射ミラー１０ｅに反射され、その反射光が集光レンズ７に至るように光路形成されている。
このように複数のミラー間を往復して光路形成しているのは結像光学系を小型化するためである。尚本発明にあって原稿画像からの反射光はミラーで集光レンズ７に案内する場合を説明したが、ミラーに限らずプリズムなどの偏光手段１０で構成しても良いことは勿論である。
【００３１】
上記集光レンズ７は通常の結像レンズで構成され、原稿画像の反射光を、その背部に配置されたラインセンサ８上に結蔵するようにキャリッジ６に搭載されている。そして集光レンズ７の結像位置に配置されたラインセンサ（光電変換手段）８は、基板８ａに固定された半導体チップで構成され、内部に光電変換素子が線状に配列されたセンサアレイが内蔵されている。
【００３２】
従ってキャリッジ６に搭載された光源（線状光照射手段）９からプラテン上の原稿画像に光を照射し、その反射光を反射ミラー（偏光手段）１０で集光レンズ（集光手段）７に導き、ラインセンサ（光電変換手段）８上に結像することとなる。そしてこの結像された光をラインセンサ８で電気的に変換して出力ケーブル（図示せず）から出力する。尚この出力ケーブルからの電気信号は図示しないデータ処理部で２値化され、ディザ補正など画像処理され外部装置に出力される。
【００３３】
以上画像原稿をセットするプラテンとして第１，第２、２つのプラテンを備える構成について説明したが、本発明は第１又は第２のいずれか１つのプラテンで構成しても良い。この場合、前述の第１プラテン２単独のプラテンで構成するときにはキャリッジ６はプラテン面に沿って移動可能に構成することなく、例えば外装ケーシング１の底部にシャーシ状に固定配置すれば良い。
【００３４】
［反射光規制手段の構成］
上述のように構成された光源（線状光照射手段）９からの光は第１プラテン２に照射され、その上の原稿画像からの反射光を集光レンズ７に案内するようになっている。そこで本発明は光源９の一部を覆って原稿画像以外の反射光（以下「フレア光」という）が反射ミラー１０ａに入射するのを防止する以下の反射光規制手段１５を設けたことを特徴としている。
【００３５】
反射光規制手段１５は、光源９と第１プラテン２（前記第２プラテン３でも同様）との間に配置され光源９の一部を覆う上面遮光部１５ａと、この上面遮光部１５ａを支持する側面支持部１５ｂとを有するカバー部材１５で構成されている。
【００３６】
カバー部材１５は図４Ａ及び図４Ｂに示すように上面遮光部１５ａと、側面支持部１５ｂを備えるように耐熱性樹脂のモールド成形で一体形成されている。この上面遮光部１５ａは主走査方向に配置されている光源９の上方を覆うように配置されている。これは光源９からの線状光が原稿画像以外の、例えば第１プラテン２の下面に照射され、その反射光が反射ミラー１０ａに入射するのを遮るため光源９の上方に配置されている。従って上面遮光部１５ａは主走査方向に長い帯状の遮光板で構成され、光源９の上方に配置されている。そして側面支持部１５ｂはこの上面遮光部１５ａを支持する側壁構造に構成されている。
【００３７】
このように上面遮光部１５ａを支持する側面支持部１５ｂは、機械的にも、また温度環境変化で遮光部が容易に変形しないように支持している。これと同時に光源９は相当高温に発熱するため、上記遮光部及び光源９自体を冷却する必要がある。このため側面支持部１５ｂには放熱開口１６が形成されている。図４Ａに示すように側面支持部１５ｂは上面遮光部１５ａを支持するステム状側壁１５ｃと、この側壁間に形成された放熱開口１６で構成されている。
【００３８】
図示の放熱開口１６は、第１開口１６ａ、第２開口１６ｂ、第３開口１６ｃ、第４開口１６ｄで形成されている。そして第１開口１６ａと第２開口１６ｂは同一開口面積ａｒ１に形成され、第３、第４開口１６ｃ、１６ｄは同一開口面積ａｒ２に形成され、開口面積ａｒ２は開口面積ａｒ１より大きく形成されている。
つまりカバー部材１５で覆われた光源９は主走査方向に小さい開口面積ａｒ１から大きい開口面積ａｒ２で外部に露出し、この開口から輻射熱が放熱されるようになっている。従って光源９は第１開口１６ａから第４開口１６ｄに向かって放熱量が大きくなるように構成されている。
【００３９】
上記放熱開口１６の第３開口１６ｃにはフィン１７ａが、第４開口１６ｄにはフィン１７ｂがそれぞれ後述する外部冷却風を光源９に向けて導入するように配置されている。このように構成されたカバー部材１５は前述のキャリッジ６に光源９と共に搭載されている。
【００４０】
そこで前述のキャリッジ６には光源９を冷却する冷却手段１８が装備されている。説明するまでもなく光源９に供給する電力を大きくして光源９の輝度を高くすると原稿画像を高速でスキャンすることが可能である。この場合には光源９の周囲は相当高温となり、主走査方向に長い棒状光源で、温度斑が生ずると輝度変化を招くため均一な高画質を得られなくなる。また主走査方向の温度斑に限らず光源９を適正に冷却しなければ連続する画像読み取りで画質斑が生じてしまう。このため図示の装置は冷却手段１８を設けている。
【００４１】
冷却手段１８は光源９の一端から主走査方向の他端に向かって冷却風を送る冷却ファン１８ｆで構成され、前述の外装ケーシングに固定されている。なお、他の実施例としてキャリッジ６に搭載してキャリッジと一体で副走査方向に移動するようにしても構わず、この場合は、キャリッジ６には光源９と、この光源を冷却する冷却ファン１８ｆが搭載されることとなる。
【００４２】
そこで上記冷却ファン１８ｆは光源９及びこれを覆うカバー部材１５に主走査方向に向かう冷却風ｆｋを送ることとなるが、図示の装置はこの冷却風ｆｋと放熱開口１６とを図４Ａ、４Ｂに示す関係にしてある。図４Ａにｆｋ１で示す冷却風は光源９と側面支持部１５ｂとの間に送風され（以下「内部冷却風ｆｋ１」という）、同図ｆｋ２で示す冷却風は側面支持部１５ｂに沿ってその外側に送風される（以下「外部冷却風ｆｋ２」という）。そこで前述の放熱開口１６は冷却風ｆｋの上流側に位置する第１開口１６ａ、第２開口１６ｂは開口面積ａｒ１が小さく、冷却風ｆｋの下流側に位置する第３開口１６ｃ、第４開口１６ｄは開口面積ａｒ２が大きくなるように設定されている。
従って冷却風ｆｋの上流側は風による冷却効果が大きく、その下流側は冷却効果が小さくなるが、逆に上流側に位置する放熱開口の開口面積は小さいため放熱量（輻射熱）は小さく、下流側に位置する放熱開口の開口面積は大きいため放熱量は大きくなるように設定されている。これにより光源９の主走査方向の温度は均一化されることとなる。
【００４３】
更に、放熱開口１６に送風される冷却風ｆｋは図５（ａ）に示すように内部冷却風ｆｋ１はステム状側壁１５ｃに衝突して渦流を形成し、その一部は放熱開口１６から外部に流出する。この為、下流側に位置する光源９は部分的に高熱となる。ところが内部冷却風ｆｋ１に対し側面支持部１５ｂには外部冷却風ｆｋ２が壁面に沿って流れているため内部冷却風ｆｋ１が上流側の開口から流出することが妨げられ、光源９に沿って主走査方向に高速で流れることとなる。
【００４４】
このように側面支持部１５ｂの内側に内部冷却風ｆｋ１と同時にその外側に外部冷却風ｆｋ２を形成するように前述の冷却ファン１８ｆが配置されているため、内部冷却風ｆｋ１の冷却効果を高めている。そして放熱開口１６の送風方向下流側に位置する第３開口１６ｃ及び第４開口１６ｄにはフィン１７ａ、１７ｂが外部冷却風ｆｋ２を内部冷却風ｆｋ１側に導入するように形成されている。図５（ｂ）に示すように冷却風ｆｋの下流側に位置する第３開口１６ｃ及び第４開口１６ｄにはフィン１７ａ、１７ｂからそれぞれ外部冷却風ｆｋ２が導入され、光源９の冷却効果を高めるように作用している。
【００４５】
以上説明したように本発明は、光源９のフレア光の影響を防止するガイド部材１５の側面支持部１５ｂに放熱開口１６を設け、この開口面積を主走査方向に小開口から大開口に配列し、この方向に冷却風ｆｋを側壁内の内部冷却風ｆｋ１と、側壁外の外部冷却風ｆｋ２を送る構成を採用したものである。これによって光源９の周囲温度を主走査方向に均一化することが可能となる。更にこれらの構成と共に冷却風ｆｋを送る下流側の放熱開口（第３開口１６ｃ、第４開口１６ｄ）にフィン１７ａ、１７ｂを設けることによって高温となる傾向にある光源下流側を冷却することが可能である。
【００４６】
［反射光規制手段の異なる形態］
図６には前述した図４Ａと異なる反射光規制手段の構成を示す。図４と同一の構成については同一符号を付して説明を省略する。図４のものと同様にカバー部材１５に上面遮光部１５ａと側面支持部１５ｂを形成する。そしてこの側面支持部１５ｂに形成する放熱開口１９を第１開口１９ａ、第２開口１９ｂ、第３開口１９ｃ、第４開口１９ｄで構成する。そして第１開口１９ａの開口面積ａｑ１、第２開口１９ｂの開口面積ａｑ２、第３開口１９ｃの開口面積ａｑ３、第４開口１９ｄの開口面積ａｑ４を順次この順に大きくなるように設定してある。つまりａｑ１＜ａｑ２＜ａｑ３＜ａｑ４に設定されている。そして第３開口１９ｃにはフィン１９ｆ１が、第４開口１９ｄにはフィン１９ｆ２がそれぞれ開口縁に連設してある。このフィン１９ｆ１の外部突出長さはフィン１９ｆ２より小さく設定されている。
従って光源９を覆うカバー部材１５の放熱開口１９は主走査方向に順次開口面積が大きくなるように配列され、先端側（送風下流側）に位置する第３開口１９ｃと第４開口１９ｄには外部冷却風を内部に導入するフィン１９ｆ１と１９ｆ２が設けられ、フィン１９ｆ１からの導入風量よりフィン１９ｆ２からの導入風量が大きくなるように形成されている。
【００４７】
このように構成されたカバー部材１５には第1開口１９ａ側から冷却風ｆｋが送風されるようになっている。この冷却風ｆｋは前述のものと同様に内部冷却風ｆｋ１と外部冷却風ｆｋ２が形成されるように冷却手段１８が配置されている。
【００４８】
［原稿搬送部の構成］
原稿搬送部Ｂは図１に示すように上述の第１,第２プラテン２、３を覆うようにその上方に配置され、上記第１プラテン２に原稿シートを給送するリードローラ（原稿給送手段）２０と、第１プラテン２から原稿シートを上方に掬い上げるガイド部材２１と搬出ローラ２２とを備えている。更に上記リードローラ２０の上流側には原稿シートを積載収納する給紙スタッカ２３と、この給紙スタッカ２３に積載されてシートを１枚づつ分離給送する給紙ローラ２４と、分離給送されたシート先端をスキュ修正するレジストローラ対２５が配置されている。図示２６は給紙スタッカ２３から第１プラテン２に原稿シートを案内する給紙経路であり、図示Ｓ１はプラテンに至る原稿の先端を検知するリードセンサである。
【００４９】
図示の装置は第１プラテン２の上方に原稿シートを案内するバックアップローラ２７が配置されている。このバックアップローラ２７はリードローラ２０と同一周速度で回転し第１プラテン２上に原稿シートをフィットさせる為であり、このバックアップローラ２７を設けることなくプラテン上方にバックアップカイドを配置しても良い。
【００５０】
上記搬出ローラ２２の下流側には排紙ローラ２８と排紙スタッカ２９が配置されている。この排紙スタッカ２９は図１に示すように給紙スタッカ２３の下方に上下並列に配置され、その底部には前述の第２プラテン３上の原稿シートを押圧支持するプラテンカバー５が設けられている。
【００５１】
このように構成された原稿搬送部Ｂはスキャナ部Ａの上部筐体（外装ケーシング）１にヒンジ部材で開閉自在に据え付けられている。そして第２プラテン３を開放した状態で原稿シートを載置セットし、この原稿搬送部Ｂのプラテンカバー５でこの原稿を覆うように構成されている。一方この原稿搬送部Ｂを開閉する際に第１プラテン２とバックアップローラ２７（又はバックアップガイド）との間隔（原稿搬送ギャップ）が変化しないように原稿搬送部Ｂのフレームには第１プラテン２に当接する位置決め突起（ストッパ部材；不図示）が設けられている。
【図面の簡単な説明】
【００５２】
【図１】本発明に係わる画像読取装置の全体説明図。
【図２】図１の装置における画像読取ユニットの斜視説明図。
【図３】画像読取ユニットの要部断面の説明図。
【図４Ａ】線状光照射手段を覆うカバー部材の斜視説明図。
【図４Ｂ】線状光照射手段を覆うカバー部材の横断面図。
【図５】カバー部材の作用を示す説明図であり、（ａ）は上流側開口の冷却風の流れを示し、（ｂ）は下流側開口の冷却風の流れを示す。
【図６】図４Ａと異なるカバー部材の形態を示し、（ａ）は側面図であり、（ｂ）は上面図。
【符号の説明】
【００５３】
Ａ        スキャナ部
Ｂ        原稿搬送部
Ｃ        画像読取ユニット
２        第１プラテン
３        第２プラテン
６        キャリッジ（キャリッジ手段）
６ａ      軸受嵌合部
６ｂ      スライド係合部
７        集光レンズ（集光手段）
８        ラインセンサ（光電変換手段）
８ａ      基板
９        光源（線状光照射手段）
９ａ      光照射部
１０      反射ミラー（偏光手段）
１０ａ    第１反射ミラー
１０ｂ    第２反射ミラー
１０ｃ    第３反射ミラー
１０ｄ    第４反射ミラー
１０ｅ    第５反射ミラー
１２ａ    ガイドロッド
１２ｂ    ガイドレール
１５      カバー部材（反射光規制手段）
１５ａ    上面遮光部
１５ｂ    側面支持部
１６      放熱開口
１６ａ    第１開口
１６ｂ    第２開口
１６ｃ    第３開口
１６ｄ    第４開口
１７ａ、１７ｂ  フィン
１８      冷却手段
１８ｆ    冷却ファン
２０      リードローラ（原稿給送装置）
２３      給紙スタッカ
２９      排紙スタッカ
ｆｋ      冷却風
ｆｋ１    内部冷却風
ｆｋ２    外部冷却風
【図１】
0005004016.tif 000002
【図２】
0005004016.tif 000003
【図３】
0005004016.tif 000004
【図４Ａ】
0005004016.tif 000005
【図４Ｂ】
0005004016.tif 000006
【図５】
0005004016.tif 000007
【図６】
0005004016.tif 000008